(57)【特許請求の範囲】
【請求項１】
血圧測定部位に対して脱着自在に設けられるカフ部材と、
前記カフ部材に内包され血圧測定部位を圧迫する阻血用空気袋と、
前記阻血用空気袋の血圧測定部位の接する側とは反対側に敷設され血圧測定部位の心臓側の前記阻血用空気袋の圧迫を補助するサブ空気袋と、
前記阻血用空気袋の血圧測定部位の接する側に敷設され血圧測定部位の血管下流側を圧迫し、かつ、下流側で生じる脈波を検出する脈波検出用空気袋と、から構成されるカフ本体と、
前記カフ本体を加減圧するために配管及び開閉バルブを介して接続される加減圧手段と、
前記脈波検出用空気袋と前記阻血用空気袋の圧力変化からカフ圧力信号を得るカフ圧力検出手段と、
前記カフ圧力信号に重畳する脈波を検出して脈波信号を得る脈波検出手段と、
前記カフ圧力信号と前記脈波信号とに基づき血圧値を決定する血圧決定手段と、
前記血圧値を表示する表示手段と、を備え、
前記配管は、
前記阻血用空気袋と前記加減圧手段の間で第１開閉バルブを介して接続される第１配管と、
前記サブ空気袋と前記加減圧手段の間で第２開閉バルブを介して接続される第２配管と、
前記脈波検出用空気袋と前記カフ圧力検出手段とを第３開閉バルブを介して接続する第３配管と、を備え、
前記阻血用空気袋に接続される前記第１配管と前記脈波検出用空気袋に接続される前記第３配管との間は、第１流体抵抗からなるバイバス流路を備え、
前記阻血用空気袋及び前記脈波検出用空気袋を加圧する前に、前記第１開閉バルブと前記第３開閉バルブとを閉じ、前記第２開閉バルブを開けて前記サブ空気袋が規定圧になるまで加圧した後に、前記第２開閉バルブを閉じて、前記サブ空気袋の空気量を調整し、かつ、血圧を測定している間は、前記第２開閉バルブを閉じていることを特徴とする血圧測定装置。
【請求項２】
前記第２開閉バルブは、血圧測定終了時、又は血圧測定開始前に、開かれることで前記サブ空気袋内の空気を排気することを特徴とする請求項１に記載の血圧測定装置。
【請求項３】
前記第１開閉バルブ、前記第２開閉バルブ、前記第３開閉バルブは電磁バルブであることを特徴とする請求項１に記載の血圧測定装置。
【請求項４】
前記第３配管に空気タンクを接続したことを特徴とする請求項１記載の血圧測定装置。
【請求項５】
血圧測定部位に対して脱着自在に設けられるカフ部材と、
前記カフ部材に内包され血圧測定部位を圧迫する阻血用空気袋と、
前記阻血用空気袋の血圧測定部位の接する側とは反対側に敷設され血圧測定部位の心臓側の前記阻血用空気袋の圧迫を補助するサブ空気袋と、
前記カフ部材を加減圧するために配管及び開閉バルブを介して接統される加減圧手段と、
前記阻血用空気袋の圧力変化からカフ圧力信号を得るカフ圧力検出手段と、
前記カフ圧力信号に重畳する脈波を検出して脈波信号を得る脈波検出手段と、
前記カフ圧力信号と前記脈波信号とに基づき血圧値を決定する血圧決定手段と、
前記血圧値を表示する表示手段と、を備え、
前記配管は、
前記阻血用空気袋と前記加減圧手段の間で第１開閉バルブを介して接続される第１配管と、
前記サブ空気袋と前記加減圧手段の間で第２開閉バルブを介して接続される第２配管と、
脈波検出用空気袋と前記カフ圧力検出手段とを第３開閉バルブを介して接続する第３配管と、を備えた血圧測定装置であって、
前記阻血用空気袋を加圧する前に、前記第１開閉バルブと前記第３開閉バルブとを閉じ、前記第２開閉バルブを開けて前記サブ空気袋が規定圧になるまで加圧した後に、前記第２閉閉バルブを閉じて、前記サブ空気袋の空気量を調整し、かつ、血圧を測定している間は、前記第２開閉バルブを閉じていることを特徴とする血圧測定装置。
【発明の詳細な説明】
【技術分野】
【０００１】
本発明は、血圧測定装置に係り、特に阻血用のカフを用いた血圧測定を行う技術に関する。
【背景技術】
【０００２】
オシロメトリック方式の血圧測定法によれば、収縮期血圧よりも高い圧力までカフ圧力を上昇させ、測定部位の血管を一旦圧閉し、除々にカフ圧力を減圧させながら測定部位の動脈の容積変化に基づいて発生するカフ圧力信号に重畳している脈波の振幅変化を検出することで血圧を測定している。血圧測定に用いられるカフは、中央部で最も血管を押える力が強く、カフの両端に向けてこの血管を押える力は徐々に減少して、カフ両端では略ゼロになるカフエッジ効果を有している。
【０００３】
この特性により血圧測定時のこの脈波の振幅変化は、カフ圧力が収縮期血圧より十分に高いときには測定部位の心臓側よりの心臓の拍動に同期して、血流がカフの上流(心臓側)端まで至り、そして戻される現象によって略一定となる。
【０００４】
また、カフの減圧が進むと測定部位の心臓側からの血流が徐々にカフの中央部に向けて侵入の程度を強めながら侵入しては押し戻される状態となる。そして、さらにカフの減圧が進むと、カフの中央では血管が圧閉されているが、血流の侵入がカフ中央部付近に至るようになる。これに伴い、カフ圧力に重畳している脈波振幅も徐々に大きくなる変化を示す。
【０００５】
この現象とは別に、さらにカフの減圧が進み、カフ圧力が収縮期血圧よりも低くなると、カフの末梢側(測定部位が上腕の場合では前腕側)に血流の拍出が生じることになる。カフ圧力に重畳する脈波振幅は、末梢側に拍出する容積変化分その振幅が大きくなる。
【０００６】
さらにカフの減圧が進むと末梢側への拍出の増加により、脈波振幅は大きくなる。またさらに減圧が進むと、末梢への拍出の増加に伴いカフより末梢に位置する前腕の静脈はカフにより圧閉されているので静脈、動脈全体の血管内圧が上昇し、一心周期の中で末梢側の血管内圧がカフ圧力より大きくなるタイミングが発生する。
【０００７】
この血管内圧の上昇により、末梢部位側からの圧反射が発生し、この反射により脈波振幅は益々大きくなる。さらにカフの減圧が進むと、収縮期のときの血管容積は大きくなるが、上記のカフエッジ特性により、カフの縁の圧迫力が弱くなるので、拡張期の時に血管が圧閉されている容積が減少することにより、脈波振幅がピークを迎えて徐々に減少し始める。さらにカフの減圧が進み、拡張期血圧以下にカフ圧力がなると、一心周期中で血管が圧閉することがなくなり、脈波振幅は益々減少することになる。そして、カフ減圧が進むと、カフ全体のコンプライアンスが大きくなり、カフの容積−圧力変換効率の低下により、さらに脈波振幅は減少する一連の脈波振幅変化が生じる。
【０００８】
この一連の脈波振幅変化から収縮期血圧と拡張期血圧とを予測して測定するのがオシロメトリック法である。
【０００９】
収縮期血圧の測定においては、カフ末梢側への拍出現象の検出が重要となるが、カフ圧力が収縮期血圧以上である時、カフ上流側では血流のカフ下への流入と戻りによる脈波の発生が起こる。また、この脈波は、徐々に大きくなる変化を示すこと、また下流側への拍出量は最初は少なく、拍出による容積変化はカフ上流側での血管容積変化に較べて小さいので拍出現象の検出が難しい。
【００１０】
このカフ末梢側への拍出の発生時のタイミングでのカフ下血管の容積変化は、カフ下の血管の容積の約半分が開いたり閉じたりしている状態である。そこで、カフ下の血管容積の略全体が開いたり閉じたりしているタイミング、すなわち、脈波振幅が最も大きくなるタイミングの略５０％であるので、減圧を開始してから、出現する脈波振幅と、その時のカフ圧力とをペアで記録しておき、脈波振幅が最大になった時点から記録を遡り、最大脈波振幅の５０％になった時のカフ圧力を、収縮期血圧値として決定する方法を採用している。
【００１１】
しかし、最大脈波振幅は測定部位の血管弾性及びカフ末梢部位からの圧反射に影響される。また、この圧反射はカフ末梢部位である前腕部の血管の圧上昇により発生し、この圧上昇はカフ末梢部位に流れ込む血液量、前腕部の血管容積、血管弾性の影響を受ける。この前腕部の血液が心臓に戻れず充満した状態を鬱血という。この鬱血は、血管の特性以外にも、測定時に末梢へ流れる血液量が多い場合、例えば、測定時のカフ減圧速度が遅い場合や脈拍数が多い場合に起こりやすく、また、血圧測定を繰り返し行なう時に、前腕の血流が心臓に戻るために必要な時間以上の測定間隔を空けないとこの鬱血を起こしやすい。このため、脈波の最大振幅は、被測定者個人個人の測定部位の血管弾性、鬱血の起きやすさや測定間隔による影響を受けるため、一律に、最大脈波振幅の５０％が収縮期圧力にならないという問題点がある。
【００１２】
これに対して、収縮期血圧測定の目標となるカフ圧力が収縮期血圧より僅かに低くなった時に発生するカフ抹消への拍出に伴う小さな変化をＳ／Ｎ比よく検出するため、阻血用カフ以外に末梢側の血管の容積変化を選択的に検出するための脈波検出用の小さなカフを阻血用カフの中央やや末梢側に設け、かつ、阻血用カフを介して脈波検出用カフに伝わり、末梢側脈波検出の障害となるカフの上流側の脈波信号を阻止するため、阻血用カフと脈波検出用カフとの間に緩衝材を設けたり、また、阻血用カフと脈波検出用カフとの連結配管に阻血用カフの脈波を減衰する音響フィルタ（例えば流体抵抗と容積バッファタンクで構成）を設けたダブルカフ法が提案されている（特許文献１）。
【特許文献１】特開２００５−１８５２９５号公報
【発明の開示】
【発明が解決しようとする課題】
【００１３】
上記のダブルカフ法においても、カフ圧力が収縮期血圧よりも大きい時には、血流による血管容積変化は存在している。この存在により、上記のように上流側脈波の圧力検出部への進入を阻止するために音響フィルタで上流側脈波の減衰や、阻血用空気袋と脈波検出用空気袋間の脈波振動の伝播を阻止を緩衝材を用いて行っている。しかしながら、音響フィルタにおいてはカフ減圧に伴う阻血用空気袋と脈波検出用空気袋との圧差発生の問題により、流体抵抗の大きさの制限、血圧測定装置の小型化による容積バッファタンクの大きさの制限があり、緩衝材においては阻血機能の低下の問題により振動脈波特性が制限されるため、完全に上流側脈波の影響を排除することはできず、収縮期血圧の測定に支障の発生する場合があった。
【課題を解決するための手段】
【００１４】
上述した課題を解決するために、本発明の血圧測定装置によれば、血圧測定部位に対して脱着自在に設けられるカフ部材と、前記カフ部材に内包され血圧測定部位を圧迫する阻血用空気袋（阻血用カフ）と、前記阻血用空気袋の血圧測定部位の接する側とは反対側に敷設され血圧測定部位の心臓側の前記阻血用空気袋の圧迫を補助するサブ空気（サブカフ）袋と、前記阻血用空気袋の血圧測定部位の接する側に敷設され血圧測定部位の血管下流側を圧迫し、かつ、下流側で生じる脈波を検出する脈波検出用空気袋（脈波検出用カフ）とから構成されるカフ本体と、前記カフ本体を加減圧するために配管及び開閉バルブを介して接続される加減圧手段と、前記脈波検出用空気袋と前記阻血用空気袋の圧力変化からカフ圧力信号を得るカフ圧力検出手段と、前記カフ圧力信号に重畳する脈波を検出して脈波信号を得る脈波検出手段と、前記カフ圧力信号と前記脈波信号とに基づき血圧値を決定する血圧決定手段と、前記血圧値を表示する表示手段と、を備え、前記配管は、前記阻血用空気袋と前記加減圧手段の間で第１開閉バルブを介して接続される第１配管と、前記サブ空気袋と前記加減圧手段の間で第２開閉バルブを介して接続される第２配管と、前記脈波検出用空気袋と前記カフ圧力検出手段とを第３開閉バルブを介して接続する第３配管とを備え、前記阻血用空気袋に接続される前記第１配管と前記脈波検出用空気袋に接続される前記第３配管との間は、第１流体抵抗からなるバイバス流路を備え、前記阻血用空気袋及び前記脈波検出用空気袋を加圧する前に、前記第１開閉バルブと前記第３開閉バルブとを閉じ、前記第２開閉バルブを開けて前記サブ空気袋が規定圧になるまで加圧した後に、前記第２開閉バルブを閉じて、前記サブ空気袋の空気量を調整し、かつ、血圧を測定している間は、前記第２開閉バルブを閉じていることを特徴としている。
【００１５】
また、前記第２開閉バルブは、血圧測定終了時、又は血圧測定開始前に、開かれることで前記サブ空気袋内の空気を外部に排気することを特徴としている。
【００１６】
また、前記第１開閉バルブ、前記第２開閉バルブ、前記第３開閉バルブは電磁バルブであることを特徴としている。
【００１７】
また、前記第３配管に空気タンクを接続したことを特徴としている。
【００１８】
また、血圧測定部位に対して脱着自在に設けられるカフ部材と、前記カフ部材に内包され血圧測定部位を圧迫する阻血用空気袋（阻血用カフ）と、前記阻血用空気袋の血圧測定部位の接する側とは反対側に敷設され血圧測定部位の心臓側の前記阻血用空気袋の圧迫を補助するサブ空気袋（サブカフ）と、前記カフ部材を加減圧するために配管及び開閉バルブを介して接統される加減圧手段と、前記阻血用空気袋の圧力変化からカフ圧力信号を得るカフ圧力検出手段と、前記カフ圧力信号に重畳する脈波を検出して脈波信号を得る脈波検出手段と、前記カフ圧力信号と前記脈波信号とに基づき血圧値を決定する血圧決定手段と、前記血圧値を表示する表示手段と、を備え、前記配管は、前記阻血用空気袋と前記加減圧手段の間で第１開閉バルブを介して接続される第１配管と、前記サブ空気袋と前記加減圧手段の間で第２開閉バルブを介して接続される第２配管と、脈波検出用空気袋と前記カフ圧力検出手段とを第３開閉バルブを介して接続する第３配管と、を備えた血圧測定装置であって、前記阻血用空気袋を加圧する前に、前記第１開閉バルブと前記第３開閉バルブとを閉じ、前記第２開閉バルブを開けて前記サブ空気袋が規定圧になるまで加圧した後に、前記第２閉閉バルブを閉じて、前記サブ空気袋の空気量を調整し、かつ、血圧を測定している間は、前記第２開閉バルブを閉じていることを特徴としている。
【発明の効果】
【００１９】
本発明によれば、ダブルカフ法においても存在していた、カフ圧力が収縮期血圧よりも高い時にカフ上流部(阻血用空気袋の測定部の動脈走行方向の中央部よりも心臓側)に心臓の収縮、拡張に同期して出入りする血流により発生する脈波を、サブ空気袋により阻血用空気袋の上流端部を、阻血用空気袋の外側からの押さえを補強することにより阻血用空気袋の縁に近いところまで空気袋の中央部と同じ圧力で血管を圧迫できるので上流側カフエッジ効果が軽減される。
【発明を実施するための最良の形態】
【００２０】
以下に、本発明の実施形態について添付の図面を参照して説明するが、本発明は実施形態に限られるものではない。
【００２１】
図１は本発明の１実施形態の血圧測定装置を示すブロック図及びエア配管を示す図である。本図において、カフ本体１は、上腕部、前腕部、大腿部、下肢部を含む血圧測定部位に対して脱着自在に設けられる布製のカフ部材２を備えており、カフ部材２の測定部位接触側の端部に破線図示の雄（フック型）面ファスナ３を設け、また端部の測定部位と接触する側とは反対側に雌（ループ型）面ファスナ４を設けている。このカフ部材２を、図示のように測定部位に対して巻きつけて各面ファスナを係止状態にすることで、カフ本体１を装着し、また係止状態を解除することで取り外すことできるように構成されている。
【００２２】
このファスナの大きさは、面ファスナ４が阻血用空気袋（阻血用カフ）８よりやや長く、かつ面ファスナ４は測定可能な腕周囲長さの最大値の腕に巻いた時に面ファスナ３が面ファスナ４を十分に覆う長さに設定されている。ここで、面ファスナは一例に過ぎず、これ以外の部材でも良く、また筒状に形成しておき腕を挿入する方式でも良い。
【００２３】
このカフ部材２の内部には、血圧測定部位の全体を圧迫するための破線図示の阻血用空気袋８が敷設（内包）されている。この阻血用空気袋８は加減圧手段であるポンプ２３、電磁オリフィス径制御バルブ２２に、第１開閉バルブ１５−２を介して軟質チューブからなる第１配管１２にて接続されている。外気をポンプ２３の開口部２３ａから導入して加圧を行い、電磁オリフィス径制御バルブ２２のオリフィス径の開度を制御することにより、開口部２２から空気の排気を行い、一定の減圧速度で減圧可能に構成されている。
【００２４】
また、阻血用空気袋８の血圧測定部位に接する側には、血圧測定部位の動脈血管のカフ下流側を圧迫して、脈波検出するための脈波検出用空気袋（脈波検出用カフ）５がバッキング部材６を介在させて敷設されている。この脈波検出用空気袋５には第３開閉バルブ１５−１を介して軟質チューブからなる第３配管１１が接続されている。第１配管１２ａと第３配管１１ａとの間には細管よりなる流体抵抗１４が接続されている。また、阻血用空気袋８の上流側（心臓側）には血圧測定部位の心臓側のカフエッジ効果を軽減するために幅がより狭く形成された破線図示のサブ空気袋（サブカフ）７が阻血用空気袋８とサブ空気袋７との間にバッキング部材９を挟んで、測定部位に接触する側とは反対側に敷設されている。このサブ空気袋７には軟質チューブからなる第２配管１３が接続されており、配管経路を開閉する第２開閉バルブ１６、第２配管１３ａを介して第１配管１２ａと前記加減圧手段とが図示のように接続されている。
【００２５】
第１配管１２、１２ａ、第２配管１３、１３ａ、第３配管１１、１１ａはコネクタ１０で本体３０から脱着自在に設けられている。図示では、このコネクタ１０で脱着可能に構成されているが、一体配管でも良い。なお、流体抵抗１４は、脈波検出用空気袋５への空気の出入りを制限する機能を備えている。また、阻血用空気袋８のカフ圧力値信号と脈波検出用空気袋５の脈波信号を得ることができるように、阻血用空気袋８は第１配管１２、１２ａ、流体抵抗１４、第３配管１１ａにより、カフ圧力検出手段である圧力センサ３１に接続されており、一方、脈波検出用空気袋５は第３配管１１、１１ａによりカフ圧力検出手段である圧力センサ３１に接続されている。
この圧力センサ３１にて電気信号に変換された信号を増幅及び周波数帯域を制限する圧力計測部３２が接続されている。さらに、アナログ電気信号をデジタル信号に変換するＡ／Ｄコンバータ３３が接続されており、デジタル信号を中央制御部３５に出力するように構成されている。
【００２６】
この中央制御部３５は、データの書き込み及び読み取りが可能なＲＡＭ３６を含んでおり、カフ圧力信号に重畳している脈波信号を得るための脈波検出手段を含む脈波処理部３８、前記加減圧手段を含むカフ圧力処理部３９、阻血空気袋の圧力値と脈波信号変化から血圧値を決定する血圧検出手段を含む血圧測定部４０、測定結果を表示する表示制御部４１とが図示のように構成されている。また、中央制御部３５の制御プログラムはＲＯＭに内蔵されている。さらに、中央制御部３５には、血圧値を表示する血圧表示手段である表示部３７と、上述のポンプ２３の駆動制御を行うポンプ駆動部４８と,第２開閉バルブ１６を開閉制御するバルブ制御部４６と、電磁オリフィス径制御バルブ２２を制御する電磁オリフィス径制御バルブ制御部４８と、第１開閉バルブ１５−２と第３開閉バルブ１５−１を開閉制御するバルブ制御部４７と、乾電池を含む電源部４３及び電源スイッチ４２とが接続されている。
【００２７】
上記の構成において、電源スイッチ４２がオンされると、電源部４３から電力供給が行われて上記のＲＯＭに記憶されていたプログラムの内容が読み出されて、血圧測定に必要な各制御が行えるように構成されている。
【００２８】
以上の様に構成されるカフ本体１によれば、各種の血圧測定装置に使用できることになる。例えば、図１に図示の血圧測定装置は、予め記憶された制御ブログラムを中央制御装置で読み出すことで図２の血圧測定ルーチンのフローチャートのように動作させることができる。
【００２９】
まず、電源スイッチ４２をオンすることにより血圧測定装置が起動される。ステップＳＴ１で第１開閉バルブ１５−２、第２開閉バルブ１６、第３開閉バルブ１５−１を開状態にする。また、ステップＳＴ２では電磁オリフィス径制御バルブ２２を開状態にすることで、全カフ内の残圧、残留空気が排気され、残圧の無い状態での圧力センサ３１のゼロセットを行う（ステップＳＴ３）。次に、ステップＳＴ４で第１開閉バルブ、第３開閉バルブを閉じ、かつ電磁オリフィス制御バルブ２２を全閉状態にする。
【００３０】
次のステップＳＴ５では、ポンブ２３を起動する。そして、ステップＳＴ６でサブ空気袋が阻血用空気袋８のカフエッジ効果が軽滅される適当な圧力である規定圧力になったか否かが判断される。規定圧力になったと判断されるとステップＳＴ７に進み第２開閉バルブを閉じる。そして、ステップＳＴ８において第１開閉バルブ及び第２開閉バルブを開状態にすることで阻血用空気袋８及び脈波検出用空気袋５の加圧を開始する。
【００３１】
また、ステップＳＴ９では予め設定してある予想される収縮期血圧より約４０ｍｍＨｇ程度高い圧力になるまで阻血用空気袋８と脈波検出用空気袋５に対して、空気流量をおさえる流体抵抗１６を介して空気を吹き込む。ステップＳＴ９で、設定圧が検出されたらステップＳＴ１０で加圧ポンプ２３への通電をオフする。ステップＳＴ１１にて電磁オリフィス径制御バルブ２２にて２〜３ｍｍＨｇ/秒の減圧速度で減圧を開始する。これに続いてステップＳＴ１２でカフ圧力検出部からカフ圧力を得る。ステップＳＴ１３にて脈波の検出を開始する。ステップＳＴ１４にて検出した脈波の振幅と検出されたときのカフ圧力をペアにしてＲＡＭ３６に時系列に記憶する。ステップＳＴ１５にて脈波振幅の最大値を検出した後、たとえば、規定値以上振幅が急に小さくなるポイントを検出して、そのときのカフ圧力値を拡張期血圧として検出し、ＲＡＭ３６に記憶する。ステップＳＴ１６にて電磁オリフィス径制御バルブ、および、第２開閉バルブを全開にして大気圧まで排気する。また、ステップＳＴ１７にてＲＡＭ３６内に時系列に記憶した脈波振幅とカフ圧力値とのペアを一番時間の古い測定開始時期から検索し、脈波振幅が５０％以上ステップ状に急に大きくなったポイントを検出し、そのときのカフ圧力値を収縮期血圧としてＲＡＭ３６に記憶する。ステップＳＴ１８で記憶した収縮期血圧値と拡張期血圧値を表示部３７に表示して一連の血圧測定助作を終了する。
【００３２】
以上の制御方法は、本発明の血圧測定装置の好適な実施例を説明したが、本発明はこれらに限定されるものではない。
【００３３】
以上のように、カフ圧力が収縮期血圧より高いときに発生する脈波振幅を小さくでき、カフ圧力が収縮期血圧より低くなったときに発生するカフ末梢側の拍出脈波をＳ／Ｎ比を向上させて検出できるので、収縮期血圧の測定精度が大きく改善された。またカフエッジ効果は、サブ空気袋の空気量如何で大きく左右されるが、サブ空気袋を加圧しすぎると血管圧迫が強すぎて拍出脈波が弱くなり、また極端に強くなると収縮期血圧が低く測定されてしまう。しかし、逆に加圧が不足していると、十分なカフエッジ効果の軽減にならない。よって、第１開閉バルブ、第３開閉バルブ、第２開閉バルブを上記のように開閉制御することでサブ空気袋の最適な圧力制御が可能となる結果、最適な加圧値にサブ空気袋を加圧できるようになった。このためカフ圧力が収縮期血圧よりも高いときの収縮期血圧測定の障害になるカフ上流側脈波を、ダブルカフ法よりも小さくできるようになった。また、第１開閉バルブ、第２開閉バルブ、第３開閉バルブとして電磁バイバスバルブを使うことにより配管をコンパクトに構成でき、かつ駆動制御が簡単に行えるようになったので小型の血圧測定装置が実現可能となった。さらに、脈波検出用空気袋に空気バッファタンク（不図示）を接続することにより、さらに、カフ上流側の脈波が阻血用空気袋を介して脈波検出部に検出される現象が軽減され、収縮期血圧測定のＳ／Ｎ比が改善された。
【図面の簡単な説明】
【００３４】
【図１】本発明の一実施形態の血圧測定装置を示すブロック図である。
【図２】、
【図３】図１の血圧測定装置の動作説明フローチャートである。
【符号の説明】
【００３５】
１  カフ本体
２  カフ部材
８  阻血用空気袋
７  サブ空気袋
５  脈波検出用空気袋
１５−２  第１開閉バルブ
１６  第２開閉バルブ
１５−１  第３開閉バルブ
２３  ポンプ（加減圧手段）
３１  圧力センサ（カフ圧力検出手段）
１１、１１ａ  第１配管
１２、１２ａ  第２配管
１３、１３ａ  第３配管
１４  流体抵抗器
２２  オリフィス径可変電磁バルブ
【図１】
0005112767.tif 000002
【図２】
0005112767.tif 000003
【図３】
0005112767.tif 000004